(57)【要約】【課題】底板を補強して引き出し本体の幅が大きな場合でも底板の下方への撓みを確実に防止することができると共に、引き出し本体の収納量を増やすことができる引き出しを提供する。【解決手段】引き出し本体１１を前板１２と左右一対の側板１３，１３と底板１４及び背板１５とで構成した引き出し１０において、前板１２の裏面１２ａ側の下側に支持凹部１２ｂを設け、この支持凹部１２ｂに矩形板状の補強金具１６の先端部１６ｃを支持すると共に、該矩形板状の補強金具１６の基部１６ａを底板１４の下面１４ａにビス１７を介して締結固定した。【選択図】図１
2007313228.tif 000002
【特許請求の範囲】
【請求項１】
引き出し本体を前板と左右の側板と底板及び背板とで構成した引き出しにおいて、
前記前板の裏面側の下側に支持係合部を設け、この支持係合部に補強金具の先端部を支持すると共に、該補強金具の基部を前記底板の下面に固定したことを特徴とする引き出し。
【請求項２】
請求項１記載の引き出しであって、
前記前板の裏面側の下端部の略中央に前記支持係合部を設けたことを特徴とする引き出し。
【請求項３】
請求項１又は２記載の引き出しであって、
前記補強金具の先端部にストッパを折り曲げ形成したことを特徴とする引き出し。
【発明の詳細な説明】
【技術分野】
【０００１】
本発明は、キッチンキャビネット等に用いて好適な引き出しに関する。
【背景技術】
【０００２】
例えば、キッチンキャビネットには、引き出しを引き出したり、収納できるようにしたものがある。この引き出しの引き出し本体は、木製等の前板と、左右一対の側板と、底板及び背板とで上面側が開口した箱形に構成されている。
【０００３】
【特許文献１】特開２００１−２９２８４３号公報
【発明の開示】
【発明が解決しようとする課題】
【０００４】
前記従来の引き出しでは、前板の裏面と底板の下面とをＬ字形金具で補強することで底板の撓みを防止するようにしていたが、前記Ｌ字形金具の前板の裏面に当たる部分の長さ分だけ底板の下面側にデッドスペースが発生し易く、その分引き出し本体の収納量が減少した（例えば、特許文献１の図１の上段の引き出し  参照）。
【０００５】
そこで、本発明は、前記した課題を解決すべくなされたものであり、底板を補強して引き出し本体の幅が大きな場合でも底板の下方への撓みを確実に防止することができると共に、引き出し本体の収納量を増やすことができる引き出しを提供することを目的とする。
【課題を解決するための手段】
【０００６】
請求項１の発明は、引き出し本体を前板と左右の側板と底板及び背板とで構成した引き出しにおいて、前記前板の裏面側の下側に支持係合部を設け、この支持係合部に補強金具の先端部を支持すると共に、該補強金具の基部を前記底板の下面に固定したことを特徴とする。
【０００７】
請求項２の発明は、請求項１記載の引き出しであって、前記前板の裏面側の下端部の略中央に前記支持係合部を設けたことを特徴とする。
【０００８】
請求項３の発明は、請求項１又は２記載の引き出しであって、前記補強金具の先端部にストッパを折り曲げ形成したことを特徴とする。
【発明の効果】
【０００９】
以上説明したように、請求項１の発明によれば、前板の裏面側の下側に支持係合部を設け、この支持係合部に矩形板状の補強金具の先端部を支持すると共に、該補強金具の基部を底板の下面に固定したことにより、補強金具で底板を補強することができるため、引き出し本体の幅が大きな場合に重量が重いものを収納した際でも底板の下方への撓みを防止することができる。また、底板を前板の裏面の下端近くまで下げて補強することができるため、底板の下面側のデッドスペースを可及的に減らすことができる。これにより、引き出しの引き出し本体の収納量を増やすことができる。
【００１０】
請求項２の発明によれば、前板の裏面側の下端部の略中央に支持係合部を設けたことにより、矩形板状の補強金具で底板の中央付近を補強することで引き出し本体の幅が大きな場合でも底板の中央付近の下方への撓みを確実に防止することができる。
【００１１】
請求項３の発明によれば、補強金具の先端部にストッパを折り曲げ形成したことにより、前板に対する底板の前後方向の動きを補強金具のストッパで確実に規制することができる。これにより、前板と底板との間の隙間を無くすことができる。
【発明を実施するための最良の形態】
【００１２】
以下、本発明の実施形態を図面に基づいて説明する。
【００１３】
図１は本発明の第１実施形態の引き出しを示す側面図、図２は同引き出しに用いられる補強金具の斜視図、図３は同引き出しを備えたキッチンキャビネットの正面図である。
【００１４】
図３に示すように、キッチンキャビネット１のキャビネット本体２の所定位置には、引き出し１０を引き出したり、収納できるようになっている。この引き出し１０は、上面側が開口した箱形の引き出し本体１１を有している。図１及び図３に示すように、引き出し本体１１は、木製の前板１２と、この前板１２の裏面１２ａの左右両側に取り付けられる左右一対の側板１３，１３と、この左右一対の側板１３，１３の下端間に取り付けられる木製の底板１４と、これら左右一対の側板１３，１３の後端と底板１４の後端に取り付けられる背板１５とで構成されている。
【００１５】
図１及び図３に示すように、前板１２の裏面１２ａ側の下端部の略中央には、矩形穴状の支持凹部（支持係合部）１２ｂを形成してある。また、図１及び図２に示すように、底板１４の下面１４ａには、矩形板状の補強金具１６の基部１６ａをビス（締結手段）１７により締結固定してある。この際、矩形板状の補強金具１６の先端部１６ｃは、前板１２の支持凹部１２ｂに嵌め込まれて支持されている。即ち、図２に示すように、矩形板状の補強金具１６の基部１６ａには円形のネジ挿通孔１６ｂを形成してあり、このネジ挿通孔１６ｂよりビス１７のネジ部１７ａを挿通して底板１４の下面１４ａにねじ込むことにより、ビス１７の頭部１７ｂで補強金具１６が底板１４の下面１４ａに締結固定されるようになっている。
【００１６】
以上第１実施形態の引き出し１０によれば、前板１２の裏面１２ａ側の下端部の略中央に矩形穴状の支持凹部１２ｂを形成し、この支持凹部１２ｂに矩形板状の補強金具１６の先端部１６ｃを嵌め込んで支持すると共に、矩形板状の補強金具１６の基部１６ａを底板１４の下面１４ａにビス１７を介して締結固定したことにより、矩形板状の補強金具１６で底板１４の中央付近を補強することができる。このため、引き出し１０の引き出し本体１１の幅が大きな場合に重量が重いものを収納した際でも底板１４の中央付近の下方への撓みを確実に防止することができる。
【００１７】
また、引き出し１０の底板１４を前板１２の裏面１２ａの下端近くまで下げて補強することができるため、底板１４の下面１４ａ側のデッドスペースを可及的に減らすことができる。これにより、引き出し１０の引き出し本体１１の収納量を増やすことができる。
【００１８】
尚、前記第１実施形態によれば、補強金具１６の先端部１６ｃを平板状に形成して前板１２の支持凹部１２ｂに嵌め込むように支持したが、前板の支持凹部が該前板の下端より上側に位置するような場合等には、図４に示すように、補強金具１６の先端部１６ｃ′を段差状に形成して前板の支持凹部の位置に合わせるようにしても良い。
【００１９】
図５は本発明の第２実施形態の引き出しを示す側面図、図６は同引き出しに用いられる補強金具の斜視図である。
【００２０】
この第２実施形態の引き出し１０′の前板１２′は、図５に示すように、アルミニウム製の四角筒状に形成してあり、前板１２′の裏面１２ａ側の下端部の略中央にスリット状の支持孔部（支持係合部）１２ｃを形成してある。そして、この支持孔部１２ｃに矩形板状の補強金具１６′の先端部１６ｃにおいて直角に折り曲げ形成された鉤形のストッパ１６ｄを挿入して係止するようになっている。他の構成は、前記第１実施形態と同様であるため、同一構成部分には同一符号を付して詳細な説明を省略する。
【００２１】
以上第２実施形態の引き出し１０′によれば、前板１２′の裏面１２ａ側の下端部の略中央にスリット状の支持孔部１２ｃを形成し、この支持孔部１２ｃに矩形板状の補強金具１６′の先端部１６ｃの鉤形のストッパ１６ｄを挿入して係止すると共に、矩形板状の補強金具１６′の基部１６ａを底板１４の下面１４ａにビス１７を介して締結固定したことにより、矩形板状の補強金具１６′で底板１４の中央付近を補強することができる。このため、引き出し１０′の引き出し本体１１の幅が大きな場合に重量が重いものを収納した際でも底板１４の中央付近の下方への撓みを確実に防止することができる。
【００２２】
また、引き出し１０′の底板１４を前板１２′の裏面１２ａの下端近くまで下げて補強することができるため、底板１４の下面１４ａ側のデッドスペースを可及的に減らすことができる。これにより、引き出し１０′の引き出し本体１１の収納量を増やすことができる。
【００２３】
さらに、補強金具１６′の先端部１６ｃに規制手段としてのストッパ１６ｄを直角に折り曲げ形成したことにより、前板１２′に対する底板１４の前後方向の動きを補強金具１６′の鉤形のストッパ１６ｄで確実に規制することができる。これにより、前板１２′と底板１４との間の隙間を無くすことができる。
【００２４】
尚、前記各実施形態によれば、引き出しをキッチンキャビネットに適用した場合について説明したが、洗面キャビネットや収納家具等に適用しても良い。また、補強金具を底板の下面に締結手段としてのビスを介して締結固定したが、締結手段はビスに限られるものでないことは勿論である。さらに、木製や金属製の前板と木製の底板等を用いたが、前板と側板と底板及び背板を木製や金属製、或いは、これらを組み合わせた各種のものを用いても良い。また、前記支持係合部は矩形穴状に限定されず、スリット状や丸穴であってもよい。さらに、補強金具も矩形板状に限定されるものではなく，丸棒状や角棒状であってもよい。
【図面の簡単な説明】
【００２５】
【図１】本発明の第１実施形態の引き出しを示す側面図である。
【図２】上記第１実施形態の引き出しに用いられる補強金具の斜視図である。
【図３】上記第１実施形態の引き出しを備えたキッチンキャビネットの正面図である。
【図４】上記第１実施形態の補強金具の変形例を示す斜視図である。
【図５】本発明の第２実施形態の引き出しを示す側面図である。
【図６】上記第２実施形態の引き出しに用いられる補強金具の斜視図である。
【符号の説明】
【００２６】
１０，１０′  引き出し
１１  引き出し本体
１２，１２′  前板
１２ａ  裏面
１２ｂ  支持凹部（支持係合部）
１２ｃ  支持孔部（支持係合部）
１３，１３  左右の側板
１４  底板
１４ａ  下面
１５  背板
１６，１６′  補強金具
１６ａ  基部
１６ｃ  先端部
１６ｄ  ストッパ
【図１】
2007313228.tif 000003
【図２】
2007313228.tif 000004
【図３】
2007313228.tif 000005
【図４】
2007313228.tif 000006
【図５】
2007313228.tif 000007
【図６】
2007313228.tif 000008